(57)【要約】【課題】  複数の同軸ケーブルを回路基板へ簡易に固定でき、而も片面基板で実施できるインターホンの同軸ケーブル固定構造を提供する。【解決手段】  圧接金具４で同軸ケーブル３を回路基板２の表面に圧接するよう配置し、複数の圧接金具４を固定する複数のタップ孔を有する１つのターミナル金具５を回路基板２の裏面に配置して、この圧接金具４をターミナル金具５にネジ止めして３本の同軸ケーブル３，３，３を回路基板２上に固定した。ターミナル金具５は、回路基板２の開口部を介して圧接金具４下部に突出する編組導体連結部を有し、同軸ケーブル３を固定した際に同軸ケーブル３の編組導体をターミナル金具５に接続させた。【選択図】  図１
2005044662.tif 000002
【特許請求の範囲】
【請求項１】
玄関子機及び監視カメラ等の複数の外部機器からの信号が伝送されてくる複数の同軸ケーブルを、インターホン親機に接続固定するインターホンの同軸ケーブル固定構造であって、
前記複数の同軸ケーブルを個々に前記インターホン親機の回路基板の部品面に圧接するための複数の圧接金具と、前記複数の圧接金具を固定するためのタップ孔を有し、前記回路基板のはんだ面に配置される１つのターミナル金具とを備え、
前記回路基板を挟んで前記圧接金具と前記ターミナル金具とをネジで連結することで、前記複数の同軸ケーブルを前記回路基板に固定することを特徴とするインターホンの同軸ケーブル固定構造。
【請求項２】
前記同軸ケーブルの中心導体を接続する接続金具は、前記回路基板の部品面に配置され、回路基板に設けた開口部を介してはんだ面に形成された回路パターンに電気的に接続される一方、
前記ターミナル金具の一部は、前記回路基板を貫通してその部品面に露出する突起部位を備え、前記同軸ケーブルの編組導体が前記突起部位に接触して、前記ターミナル金具を介して前記ターミナル金具と接触しているはんだ面の回路パターンによってアースが採られ、
前記回路基板は、はんだ面の回路パターンのみで前記同軸ケーブルとの接続を可能としたことを特徴とする請求項１記載のインターホンの同軸ケーブル固定構造。
【請求項３】
前記ターミナル金具の突起部位は、回路基板に形成した開口部を介して部品面に露出すると共に、前記圧接金具のケーブル保持部の真下に位置することを特徴とする請求項２記載のインターホンの同軸ケーブル固定構造。
【請求項４】
固定する同軸ケーブルが互いに平行な３本以上の場合、前記複数の圧接金具は、ケーブル方向で前後に互い違いとなるよう千鳥配置してなることを特徴とする請求項１乃至３の何れかに記載のインターホンの同軸ケーブル固定構造。
【請求項５】
前記ターミナル金具は、少なくとも１本のネジで前記回路基板と共にインターホン親機ケースに固定され、前記回路基板のケース固定部に形成されたネジ挿通孔は周囲に保護レジストのない回路パターンを備え、
前記ターミナル金具を前記ケースに固定することで、前記ターミナル金具と前記保護レジストのない回路パターンが接触し、両者は導通状態となることを特徴とする請求項１乃至４の何れかに記載のインターホンの同軸ケーブル固定構造。
【請求項６】
前記回路基板のケース固定部のネジ挿通孔のうち、１つのみが周囲に保護レジストのない回路パターンを備えて成ることを特徴とする請求項５記載のインターホンの同軸ケーブル固定構造。
【発明の詳細な説明】
【技術分野】
【０００１】
本発明は、インターホンの同軸ケーブル固定構造に関し、特に同軸ケーブルの固定部位を回路基板としたインターホンの同軸ケーブル固定構造に関する。
【背景技術】
【０００２】
インターホン機器に同軸ケーブルを固定する形態として、特許文献１に示す構成や図５に示す構成が知られている。特許文献１は、樹脂成形等で形成されたインターホン機器のケースに固定する構造で、ターミナル金具と押さえ金具とで同軸ケーブルを挟み込み、ビスを締めて固定していた。
また、図５はインターホン機器の回路基板上に固定する形態であり、２１はインターホン機器のケース、２２は同軸ケーブル、２３は押さえ金具、２４は回路基板を示している。この押さえ金具２３は、中央にケーブル保持部２３ａを有し、その両端にネジ止め部を設けて形成され、押さえ金具２３により同軸ケーブル２２を保持すると共に回路基板２４に圧接して同軸ケーブル２２を固定していた。固定は、ネジ２５及びナット２６により押さえ金具２３と回路基板２４を連結すると共にケース２１に連結して実施していた。尚、同軸ケーブル２２の中心導体２２ａは別途設けた接続金具２７により回路基板２４に固定された。
【特許文献１】実開昭６２−７７８７５号公報
【発明の開示】
【発明が解決しようとする課題】
【０００３】
しかし、上記構成のうち特許文献１に示すものは、固定部位がケースであるため、ビス止め部の剛性が弱く十分な強度を得ることが難しかったし、同軸ケーブルが複数の場合、その数に合わせてターミナル金具と押さえ金具の組が必要であた。また、別途回路基板のアース部と同軸ケーブルのアース導体を接続する手間が必要であった。
また、図５に示す構成は、ネジ２５とナット２６を用いることで、同軸ケーブル２２を堅牢に固定することができるが、同軸ケーブル２２が複数の場合、同軸ケーブル２２毎に、押さえ金具２３、１対のネジ２５、１対のナット２６が必要であり、使用する部品数が多く、固定作業が面倒であった。更に、同軸ケーブル２２の中心導体２２ａは、接続金具２７を回路基板２４の裏面に突出させることで、裏面に形成された回路パターンに接続することができるが、編組導体（アース導体）２２ｂは表面に形成した回路パターンに押さえ金具２３の圧接作用で接続される構成であり、両面基板でなければ対応できなかった。
【０００４】
そこで、本発明は上記問題点に鑑み、強度を得やすい回路基板に固定する形態において、複数の同軸ケーブルの固定を容易に実施でき、而も片面基板でも同軸ケーブルと回路基板との電気的接続を容易に実現できるインターホンの同軸ケーブル固定構造を提供することを目的とする。
【課題を解決するための手段】
【０００５】
上記課題を解決するため、請求項１の発明は、玄関子機及び監視カメラ等の複数の外部機器からの信号が伝送されてくる複数の同軸ケーブルを、インターホン親機に接続固定するインターホンの同軸ケーブル固定構造であって、複数の同軸ケーブルを個々にインターホン親機の回路基板の部品面に圧接するための複数の圧接金具と、複数の圧接金具を固定するためのタップ孔を有し、回路基板のはんだ面に配置される１つのターミナル金具とを備え、回路基板を挟んで圧接金具とターミナル金具とをネジで連結することで、複数の同軸ケーブルを回路基板に固定すること特徴とする。
この構成により、複数の同軸ケーブルに対して、個々にナットを必要としないので、固定部材を削減できる。そのため、固定する作業工数が削減でき、固定作業の簡易化を図ることができる。
【０００６】
請求項２の発明は、請求項１の発明において、同軸ケーブルの中心導体を接続する接続金具は、回路基板の部品面に配置され、回路基板に設けた開口部を介してはんだ面に形成された回路パターンに電気的に接続される一方、ターミナル金具の一部は、回路基板を貫通してその部品面に露出する突起部位を備え、同軸ケーブルの編組導体が突起部位に接触して、ターミナル金具を介してターミナル金具と接触しているはんだ面の回路パターンによってアースが採られ、回路基板は、はんだ面の回路パターンのみで同軸ケーブルとの接続を可能としたことを特徴とする。
請求項２の発明によれば、はんだ面のみに回路パターンを設けた片面基板で同軸ケーブルとの接続に対応でき、回路基板を安価なものにできる。
【０００７】
請求項３の発明は、請求項２の発明において、ターミナル金具の突起部位は、回路基板に形成した開口部を介して部品面に露出すると共に、圧接金具のケーブル保持部の真下に位置することを特徴とする。
この構成により、圧接金具の圧接作用により同軸ケーブルの編組導体は確実にターミナル金具に接触し、良好な接続状態を得ることができる。
【０００８】
請求項４の発明は、請求項１乃至３の何れかの発明において、固定する同軸ケーブルが互いに平行な３本以上の場合、複数の圧接金具は、ケーブル方向で前後に互い違いとなるよう千鳥配置してなることを特徴とする。
この構成により、複数の圧設金具を省スペースで配置でき、固定する同軸ケーブルが複数であっても僅かなスペースで済む。
【０００９】
請求項５の発明は、請求項１乃至４の何れかの発明において、ターミナル金具は、少なくとも１本のネジで回路基板と共にインターホン親機ケースに固定され、回路基板のケース固定部に形成されたネジ挿通孔は周囲に保護レジストのない回路パターンを備え、ターミナル金具をケースに固定することで、ターミナル金具と保護レジストのない回路パターンが接触し、両者は導通状態となることを特徴とする。
この構成により、回路基板をケースに固定することで、ターミナル金具と回路基板の確実な電気的接続を図ることができる。
【００１０】
請求項６の発明は、請求項５の発明において、回路基板のケース固定部のネジ挿通孔のうち、１つのみが周囲に保護レジストのない回路パターンを備えて成ることを特徴とする。
この構成により、ターミナル金具と回路基板は１カ所のみで電気的に接続されるので、映像信号等の高周波信号を良好に伝送できる。
【発明の効果】
【００１１】
このように、本発明によれば、ターミナル金具を使用することで複数の同軸ケーブル個々にナットを必要とせず、固定のための部材を削減でき、固定作業の簡易化を図ることができる。また、部品面に露出させた突起部位により回路基板のはんだ面で同軸ケーブルのアースを採ることができるので、片面基板で対応でき、安価な回路基板で済む。
【発明を実施するための最良の形態】
【００１２】
以下、本発明を具体化した実施の形態を、図面に基づいて詳細に説明する。図１は本発明に係るインターホンの同軸ケーブル固定構造を示し、インターホン親機内部の斜視図を示している。図において、１は親機ケース、２は回路基板、３は同軸ケーブル、４は同軸ケーブル３を回路基板２に圧接する圧接金具、５は回路基板２のはんだ面である裏面に配置されて圧接金具４を固定する為のターミナル金具、６は同軸ケーブル３の中心導体３ａを回路基板２に接続する接続金具であり、ここでは、３本の同軸ケーブル３，３，３を固定する形態を示している。
【００１３】
圧接金具４は、中央にアーチ状に形成されたケーブル保持部４ａを有し、その左右両端にネジ挿通孔を設けた固定片４ｂを設けて形成され、２つのネジ７，７により回路基板２の部品面である表面に固定される。また、接続金具６は、図４の分解図に示すように、コ字状に折り曲げて形成されて中央にネジ孔を備えた金属製の座板６ａと、中心導体３ａを座板６ａに圧接するための圧接板６ｂとを有し、ネジ８により両者は連結され、中心導体３ａは接続される。そして、座板６ａは、下方に伸びた舌片６ｃを有し、回路基板２に設けられた孔にその舌片６ｃを挿通して、裏面に形成された回路パターンにはんだ付けすることで、電気的に接続されると同時に座板６ａは固定される。
【００１４】
図２は、ターミナル金具５と同軸ケーブル３を抜き出した説明図であり、図示するようにターミナル金具５は、３つの圧接金具連結部９が同軸ケーブルの進入方向に対して前後に互い違いとなるように千鳥配置されて形成され、３本の同軸ケーブルは平行に配置されている。詳しくは、圧接金具連結部９は、上方に折り曲げて形成した突起部位としての編組導体連結部９ａと、その両脇に設けた圧接金具４を連結するためのタップ孔９ｂとから構成され、編組導体連結部９ａは、コ字状に折り曲げて形成した平行な１対の辺として形成され、その先端部がターミナル金具５を回路基板２裏面に組み付けた際に、回路基板２の表面と面一となる高さで形成されている。
このように、一対のタップ孔９ｂ，９ｂの中間に編組導体連結部９ａを設けることで、圧接金具４のケーブル保持部４ａの真下に編組導体連結部９ａが配置され、同軸ケーブル３を圧接固定した際に捲り上げた編組導体３ｂを確実にターミナル金具に接続できるし、圧接金具が複数の場合、千鳥配置させることで省スペースで同軸ケーブルを固定できる。尚、１０は、親機ケース１にネジ止め固定するためのネジ挿通孔である。
【００１５】
図３は回路基板２の裏面図であり、裏面に組み付けたターミナル金具５を２点鎖線で示している。回路基板２には、図３に示すように、ターミナル金具５の編組導体連結部９ａを挿通して表面に露出させるための長方形状の開口部１１が対で形成され、その両脇に、ターミナル金具５のタップ孔９ｂにネジ７を螺入するためのネジ挿通孔１２が設けれれている。また、１３は座板６ａの舌片６ｃを挿通する孔であり、回路基板２の裏面には、同軸ケーブル３の中心導体３ａと接続される信号部回路パターンＰ１と、編組導体３ｂに接続されるアース部回路パターンＰ２の双方が形成されており、座板６ａは信号部回路パターンＰ１に舌片６ｃをはんだ付けすることで接続される。
また、ターミナル金具５のネジ挿通孔１０に一致する回路基板２のネジ挿通孔１５の周囲には、保護レジストを設けずにアース部回路パターンＰ２の一部を露出させた回路パターン１４が形成されている。回路基板２を親機ケース１にネジ止め固定した際に、ターミナル金具５はその露出させた回路パターン１４に接続され、アース部回路パターンＰ２に接続される。そして、露出させた回路パターン１４以外のターミナル金具５に接触可能な回路パターンは、全て保護レジストで覆われて、接触することがないように構成されている。
【００１６】
このようにターミナル金具５と回路基板とが１カ所で電気的に接続され、導通状態となることで、高周波信号に対して電気的な回り込み等発生せずに良好な接続ができ、同軸ケーブル３と、回路基板２の回路パターンとの接続を良好にできる。
【００１７】
次に、上記同軸ケーブル固定構造の同軸ケーブル固定手順を説明する。まず、接続する同軸ケーブル３の端部を、図２に示すように加工する。この加工で、中心導体３ａを適量露出させ、外部導体である編組導体３ｂを保護被覆上に捲り上げる。次に、図１に示すように、中心導体３ａを接続金具６の予め回路基板２にはんだ付け固定された座板６ａと圧接板６ｂの間に挿入する。このとき、同軸ケーブル３の捲り上げた編組導体３ｂが圧接金具連結部９の編組導体連結部９ａ上（編組導体連結部９ａを挿通する開口部１１上）に配置されるよう同軸ケーブル３の位置決めをしておく。そして、ネジ８で中心導体３ａを固定する。この操作で、中心導体３ａは座板６ａを介して、回路基板２裏面に形成された回路パターンＰ１に接続される。
そして、圧接金具４を同軸ケーブル３上に被せると共に回路基板２の裏面所定位置にターミナル金具５を配置し、ターミナル金具５に圧接金具４をネジ７でネジ止め固定する。このときに、同軸ケーブル３の編組導体３ｂは回路基板２の表面に面一に露出された編組導体連結部９ａ上にあるので、編組導体３ｂは圧接金具４による圧接でターミナル金具５に良好に接続される。尚、接続金具と圧接金具の固定手順は逆であっても良い。
その後、回路基板２及びターミナル金具５を親機ケース１に固定する。即ち、回路基板２のネジ挿通孔１５、及びターミナル金具５のネジ挿通孔１０にネジを挿入してネジ止め固定することで、編組導体３ｂはターミナル金具５を介して回路パターンＰ２に接続される。
【００１８】
このように、複数の同軸ケーブルに対してターミナル金具１個で対応し、固定することができるので、個々にナットを必要とせず固定部材を削減できる。そのため、固定する作業工数を削減でき、固定作業の簡易化を図ることができる。
また、ターミナル金具は編組導体に接触する編組導体連結部を有し、回路基板の表面に配置した同軸ケーブルを裏面に設けた回路パターンに容易に接続できるので、安価な片面基板で同軸ケーブルの接続に対応でき、コストダウンを図ることができる。
更に、圧接金具により同軸ケーブルは回路基板上に圧接固定されるので、編組導体は確実にターミナル金具に接触でき、良好な接続状態を得ることができる。
【００１９】
尚、上記実施形態では、ターミナル金具５の１カ所を回路基板２と共に親機ケース１に固定し、その固定部で回路基板２とターミナル金具５を電気的に接続して高周波特性を良好にしているが、ターミナル金具５が複数箇所で親機ケースに固定される構成の場合は、それら複数箇所で電気的に接続しても良く、高周波特性が劣化する可能性があるがターミナル金具と回路基板との電気的接続を確実にできる。
また、編組導体連結部９ａは、回路基板２の表面に面一と成るように形成したが、表面から僅かに突出するように形成しても良いし、両端を突出させて曲率を設け、同軸ケーブルを保持し易いように形成しても良い。また、対を成す平行な２辺で形成しているが、１辺のみで形成しても良い。
【図面の簡単な説明】
【００２０】
【図１】本発明に係るインターホンの同軸ケーブル固定構造を示すインターホン親機の内部斜視図である。
【図２】図１のターミナル金具と同軸ケーブルを抜き出した斜視図である。
【図３】図１の回路基板を裏面から見た図である。
【図４】接続金具の分解斜視図である。
【図５】従来のインターホンの同軸ケーブル固定構造を示し、（ａ）は平面説明図、（ｂ）はＡ−Ａ線断面図である。
【符号の説明】
【００２１】
１・・親機ケース、２・・回路基板、３・・同軸ケーブル、４・・圧接金具、５・・ターミナル金具、６・・接続金具、７・・ネジ、９・・圧接金具連結部、９ａ・・編組導体連結部（突起部位）、９ｂ・・タップ孔、１０・・ネジ挿通孔、１１・・開口部、１３・・孔（開口部）、１４・・露出させた回路パターン、１５・・ネジ挿通孔、Ｐ１・・信号部の回路パターン、Ｐ２・・アース部の回路パターン。
【図１】
2005044662.tif 000003
【図２】
2005044662.tif 000004
【図３】
2005044662.tif 000005
【図４】
2005044662.tif 000006
【図５】
2005044662.tif 000007